(57)【要約】  【課題】  二人の人物を中心にして掲載される写真集アルバムであって、どちらか一方の人しかよく知らない人が見た場合でも楽しむことができる写真集アルバムを提供する。  【解決手段】  人物Ａと人物Ｂの写真が掲載された写真集アルバム１０であって、少なくとも人物Ａを含む写真が掲載された表表紙１と、少なくとも人物Ｂを含む写真が掲載された裏表紙２と、表表紙１と裏表紙２との間に挟まれて複数ページから構成された写真部とを有しており、この写真部は、表表紙側から始まり、少なくとも人物Ａを含む写真が掲載された第１写真部と、裏表紙側から始まり、少なくとも人物Ｂを含む写真が掲載された第２写真部と、第１写真部と前記第２写真部との間に挟まれた第３写真部とを備え、第３写真部は、少なくとも人物Ａと人物Ｂが一緒に写っている写真が掲載されている。【選択図】図１
0003214500.tif 000002
【実用新案登録請求の範囲】
【請求項１】
人物Ａと人物Ｂの写真が掲載された写真集アルバムであって、
少なくとも人物Ａを含む写真が掲載された表表紙と、少なくとも人物Ｂを含む写真が掲載された裏表紙と、前記表表紙と前記裏表紙との間に挟まれて複数ページから構成された写真部とを有し、
前記写真部は、
前記表表紙側から始まり、少なくとも人物Ａを含む写真が掲載された第１写真部と、
前記裏表紙側から始まり、少なくとも人物Ｂを含む写真が掲載された第２写真部と、
前記第１写真部と前記第２写真部との間に挟まれた第３写真部とを備え、
前記第３写真部は、少なくとも人物Ａと人物Ｂが一緒に写っている写真が掲載されていることを特徴とする写真集アルバム。
【請求項２】
複数ページから構成されている第１写真部は、写真以外の背景デザインが統一されたデザインで構成された第１背景デザイン部を有し、
複数ページから構成されている第２写真部は、写真以外の背景デザインが統一されたデザインで構成された第２背景デザイン部を有し、
第３写真部は、写真以外の背景デザインで構成された第３背景デザイン部を有し、
前記第１背景デザイン部と前記第２背景デザイン部は、異なるデザインであって、前記第３背景デザイン部は、前記第１背景デザイン部のデザインと、前記第２背景デザイン部のデザインが混合して表示されていることを特徴とする請求項１に記載の写真集アルバム。
【請求項３】
第１写真部は、少なくとも人物Ａを含む写真が、人物Ａの成長過程に沿って年代順に掲載され、
第２写真部は、少なくとも人物Ｂを含む写真が、人物Ｂの成長過程に沿って年代順に掲載されていることを特徴とする請求項１又は２に記載の写真集アルバム。
【考案の詳細な説明】
【技術分野】
【０００１】
本考案は、主に二人の人物を中心にして掲載される写真集アルバムに関するものである。
【背景技術】
【０００２】
従来から結婚する二人の成長の過程を見易く表示記録して、ブライダルグッズの一つとして利用される写真アルバムが知られている（特許文献１）。
【０００３】
この特許文献１に記載の写真アルバムは、新郎、新婦の誕生から出会いまでの過程で撮影した写真に基づいて、それらの写真を複製し、左右のページに二人の年代順に対比して編集配分する構成とし、結婚する二人の絆を一層深める記念品として、利用されるものであった。
【先行技術文献】
【特許文献】
【０００４】
【特許文献１】実用新案登録第３０８２１１０号公報
【考案の概要】
【考案が解決しようとする課題】
【０００５】
しかしながら、新郎の両親や親戚は、まず、新郎の生い立ちからの成長の過程を写真で振り返りたいと想うものである。同様に新婦の両親や親戚も、まず、新婦の生い立ちからの成長の過程を写真で振り返りたいと想うものである。したがって、新郎と新婦の生い立ちからの写真情報が交互に目に入る特許文献１に記載の写真アルバムは、両親や親戚のニーズに必ずしも答えているものではないという課題を有していた。
【０００６】
本考案は、上記従来の考案が有する課題を解決するためになされたものであり、二人の人物を中心にして掲載される写真集アルバムであって、どちらか一方の人しかよく知らない人が見た場合でも楽しむことができる写真集アルバムを提供することを目的とする。
【課題を解決するための手段】
【０００７】
請求項１の考案では、人物Ａと人物Ｂの写真が掲載された写真集アルバムであって、少なくとも人物Ａを含む写真が掲載された表表紙と、少なくとも人物Ｂを含む写真が掲載された裏表紙と、前記表表紙と前記裏表紙との間に挟まれて複数ページから構成された写真部とを有し、前記写真部は、前記表表紙側から始まり、少なくとも人物Ａを含む写真が掲載された第１写真部と、前記裏表紙側から始まり、少なくとも人物Ｂを含む写真が掲載された第２写真部と、前記第１写真部と前記第２写真部との間に挟まれた第３写真部とを備え、前記第３写真部は、少なくとも人物Ａと人物Ｂが一緒に写っている写真が掲載されていることを特徴としている。
【０００８】
したがって、人物Ａを知っている人達は、まず表表紙側から人物Ａが掲載されている第１写真部の写真を見て楽しむことができ、人物Ｂを知っている人達は、まず裏表紙側から人物Ｂが掲載されている第２写真部の写真を見て楽しむことができる。また、写真集アルバムが結婚した両家の写真に関するものである場合には、これから良く知る関係となる他方の相手の成長の過程や家族構成等を第２写真部又は第１写真部の写真を見て知ることができる。さらに、第３写真部の写真を見て人物Ａと人物Ｂの仲の良さを知って楽しむことができる。
【０００９】
また、請求項２の考案では、請求項１の考案において、複数ページから構成されている第１写真部は、写真以外の背景デザインが統一されたデザインで構成された第１背景デザイン部を有し、複数ページから構成されている第２写真部は、写真以外の背景デザインが統一されたデザインで構成された第２背景デザイン部を有し、第３写真部は、写真以外の背景デザインで構成された第３背景デザイン部を有し、前記第１背景デザイン部と前記第２背景デザイン部は、異なるデザインであって、前記第３背景デザイン部は、前記第１背景デザイン部のデザインと、前記第２背景デザイン部のデザインが混合して表示されていることを特徴としている。
【００１０】
したがって、第１背景デザイン部を見ることによって、少なくとも人物Ａを含む写真が掲載された第１写真部であることが解り、第２背景デザイン部を見ることによって、少なくとも人物Ｂを含む写真が掲載された第２写真部であることが解る。また、第３背景デザイン部を見ることによって、少なくとも人物Ａと人物Ｂが一緒に写っている写真が掲載されている第３写真部であることが解る。
【００１１】
また、請求項３の考案では、請求項１又は２の考案において、第１写真部は、少なくとも人物Ａを含む写真が、人物Ａの成長過程に沿って年代順に掲載され、第２写真部は、少なくとも人物Ｂを含む写真が、人物Ｂの成長過程に沿って年代順に掲載されていることを特徴としている。したがって、人物Ａ又は人物Ｂが掲載されている写真を成長過程に沿って年代順に見て楽しむことができる。
【考案の効果】
【００１２】
請求項１の考案は、表表紙側から人物Ａの写真を見て楽しむことができ、裏表紙側から人物Ｂの写真を見て楽しむことができる。また、写真集アルバムの中央部分で人物Ａ及び人物Ｂの両方の写真を見て楽しむことができる。
【００１３】
請求項２の考案は、第１背景デザイン部、第２背景デザイン部及び第３背景デザイン部の各々を見ることによって、人物Ａの写真が掲載されているのか、人物Ｂの写真が掲載されているのか、人物Ａ及び人物Ｂの写真が掲載されているのかを判断することができる。
【００１４】
請求項３の考案は、人物Ａ又は人物Ｂが掲載されている写真を成長過程に沿って年代順に見て楽しむことができる。
【図面の簡単な説明】
【００１５】
【図１】本考案に係る写真集アルバムの表表紙と裏表紙を示す説明図。
【図２】本考案に係る写真集アルバムの第１写真部を示す説明図。
【図３】本考案に係る写真集アルバムの第２写真部を示す説明図。
【図４】本考案に係る写真集アルバムの第１写真部を示す説明図。
【図５】本考案に係る写真集アルバムの第２写真部を示す説明図。
【図６】本考案に係る写真集アルバムの第３写真部を示す説明図。
【考案を実施するための形態】
【００１６】
次に、本考案の実施形態を図面に基づいて説明する。図１は、本考案に係る写真集アルバムの表表紙と裏表紙を示す説明図である。本考案に係る写真集アルバム１０は、表表紙１と裏表紙２が背表紙を介して一体的に形成された表紙が、写真を用いて作成されたページと共に製本されてなるものである。
【００１７】
表表紙１は、少なくとも人物Ａを含む写真が掲載された写真欄５ａと、人物Ａの名前等が記載された文字欄４ａを備えている。そして、写真欄５ａ以外の背景に描かれたデザイン３ａ及び３ｂは、後述する第１写真部の写真以外の背景デザインで構成される第１背景デザイン部のデザインと統一された同様のデザインとしている。
【００１８】
また、裏表紙２は、少なくとも人物Ｂを含む写真が掲載された写真欄５ｂと、人物Ｂの名前等が記載された文字欄４ｂを備えている。そして、写真欄５ｂ以外の背景に描かれたデザイン３ｃは、後述する第２写真部の写真以外の背景デザインで構成される第２背景デザイン部のデザインと統一された同様のデザインとしている。
【００１９】
図２は、本考案に係る写真集アルバムの第１写真部を示す説明図である。本考案に係る写真集アルバム１０は、前述した表表紙１と裏表紙２との間に挟まれて複数ページから構成された写真部を有しており、この写真部は、表表紙１側から始まり、少なくとも人物Ａを含む写真が掲載された第１写真部６と、裏表紙２側から始まり、少なくとも人物Ｂを含む写真が掲載された後述する第２写真部と、第１写真部６と第２写真部との間に挟まれた後述する第３写真部とを備えている。
【００２０】
図２に示す第１写真部６は、写真欄６ａに、人物Ａが生まれて間もない時の写真が掲載されており、写真欄６ａの下方には、人物Ａの生年月日が記載された生年月日欄６ｃと、人物Ａの名前がローマ字で記載された名前欄６ｅが設けられている。また、写真欄６ａ以外の背景に描かれたデザイン６ｂ及び６ｃは、第１背景デザイン部を構成している。尚、何も描かれていない符号１ａに示すページは、表表紙１の裏面側を構成している。
【００２１】
図３は、本考案に係る写真集アルバムの第２写真部を示す説明図である。第２写真部７は、裏表紙２側から始まり、少なくとも人物Ｂを含む写真が掲載されている。そして、第２写真部７は、写真欄７ａに、人物Ｂが生まれて間もない時の写真が掲載されており、写真欄７ａの下方には、人物Ｂの生年月日が記載された生年月日欄７ｄと、人物Ｂの名前がローマ字で記載された名前欄７ｅが設けられている。また、写真欄７ａ以外の背景に描かれたデザイン７ｂ及び７ｃは、第２背景デザイン部を構成している。この第２背景デザイン部のデザイン７ｂ及び７ｃは、前述した第１背景デザイン部のデザイン６ｂ及び６ｃとは異なるデザインとしている。尚、何も描かれていない符号２ａに示すページは、裏表紙２の裏面側を構成している。
【００２２】
図４は、本考案に係る写真集アルバムの第１写真部を示す説明図であり、図２に示したページとは別のページを示している。図４に示す第１写真部８及び９は、２枚の見開きページで構成されており、写真欄８ｃ、９ａ、９ｂ及び９ｃを備えている。この写真欄８ｃ、９ａ、９ｂ及び９ｃに掲載されている写真は、少なくとも人物Ａを含む写真で構成されている。また、写真欄８ｃ、９ａ、９ｂ及び９ｃ以外の背景に描かれたデザイン８ａ、８ｂ及び９ａは、第１背景デザイン部を構成しており、図２に示した第１背景デザイン部のデザイン６ｂ及び６ｃと統一されたデザインとしている。これにより、第１背景デザイン部を見ることによって、少なくとも人物Ａを含む写真が掲載された第１写真部であることが解る。
【００２３】
尚、図２及び図４に示す第１写真部６、８及び９は、人物Ａの成長過程に沿って年代順に掲載するようにすることができる。これにより、写真集アルバム１０の表表紙１側から人物Ａが掲載されている写真を成長過程に沿って年代順に見て楽しむことができる。
【００２４】
図５は、本考案に係る写真集アルバムの第２写真部を示す説明図であり、図３に示したページとは別のページを示している。図５に示す第２写真部１１及び１２は、２枚の見開きページで構成されており、写真欄１１ｂ、１１ｃ、１１ｄ、１２ｂ及び１２ｃを備えている。この写真欄１１ｂ、１１ｃ、１１ｄ、１２ｂ及び１２ｃに掲載されている写真は、少なくとも人物Ｂを含む写真で構成されている。また、写真欄１１ｂ、１１ｃ、１１ｄ、１２ｂ及び１２ｃ以外の背景に描かれたデザイン１１ａ及び１２ａは、第２背景デザイン部を構成しており、図３に示した第２背景デザイン部のデザイン７ｂ及び７ｃと統一されたデザインとしている。これにより、第２背景デザイン部を見ることによって、少なくとも人物Ｂを含む写真が掲載された第２写真部であることが解る。
【００２５】
尚、図３及び図５に示す第２写真部７、１１及び１２は、人物Ｂの成長過程に沿って年代順に掲載するようにすることができる。これにより、写真集アルバム１０の裏表紙２側から人物Ｂが掲載されている写真を成長過程に沿って年代順に見て楽しむことができる。
【００２６】
図６は、本考案に係る写真集アルバムの第３写真部を示す説明図である。図６に示す第３写真部１３及び１４は、２枚の見開きページで構成されており、写真欄１３ｄ、１３ｅ、１３ｆ、１５ａ、１５ｂ、１５ｃ、１４ｄ、１４ｅ、１４ｆ及び１４ｇを備えている。この写真欄１３ｄ、１３ｅ、１３ｆ、１５ａ、１５ｂ、１５ｃ、１４ｄ、１４ｅ、１４ｆ及び１４ｇに掲載されている写真は、少なくとも人物Ａと人物Ｂが一緒に写っている写真で構成されている。また、写真欄１３ｄ、１３ｅ、１３ｆ、１５ａ、１５ｂ、１５ｃ、１４ｄ、１４ｅ、１４ｆ及び１４ｇ以外の背景に描かれたデザイン１３ａ、１３ｂ、１３ｃ、１５ｄ、１４ａ、１４ｂ及び１４ｃは、第３背景デザイン部を構成しており、前述した第１背景デザイン部のデザインと第２背景デザイン部のデザインが混合して表示されている。これにより、第３背景デザイン部を見ることによって、少なくとも人物Ａと人物Ｂが一緒に写っている写真が掲載されている第３写真部であることが解る。
【産業上の利用可能性】
【００２７】
本考案の写真集アルバムは、主に二人の人物を中心にして掲載される写真集アルバムとして使用される。
【符号の説明】
【００２８】
１  表表紙
２  裏表紙
６  第１写真部
６ｂ、６ｃ  第１背景デザイン部
７  第２写真部
７ｂ、７ｃ  第２背景デザイン部
１０  写真集アルバム
１３、１４  第３写真部
１３ａ、１３ｂ、１３ｃ、１５ｄ、１４ａ、１４ｂ、１４ｃ  第３背景デザイン部
【図１】
0003214500.tif 000003
【図２】
0003214500.tif 000004
【図３】
0003214500.tif 000005
【図４】
0003214500.tif 000006
【図５】
0003214500.tif 000007
【図６】
0003214500.tif 000008